(57)【要約】【課題】  本発明は、制御基板への電磁障害防止機能を担保し、他の装置・部品類への延焼防止等に係る安全性措置を適切に講じつつ、製品コストを低減可能とする基板収容構造を備えた冷蔵庫を提供することを目的とする。【解決手段】  本発明に係る冷蔵庫１は、内部に制御基板を収容する基板収容部１０と、基板収容部１０を配設する機械室Ｓとを備え、基板収容部１０は、樹脂製箱状のケーシング部１１を備え、ケーシング部１１の一面１１ｓ１と、機械室Ｓを区画する冷蔵庫外郭の金属製側板２ｄｒとが対面し、基板収容部１０が、金属製側板２ｄｒに取り付けられ、基板収容部１０は、ケーシング部１１の前記一面と対向する対向面１１ｓ２を被覆する金属製カバー部１２を更に備える。【選択図】  図２
2020101341.tif 000002
【特許請求の範囲】
【請求項１】
内部に制御基板を収容する基板収容部と、
前記基板収容部を配設すると共に、冷蔵庫外郭の一部を成す金属製側板を含む隔壁により区画される機械室と、
を備え、
前記基板収容部は、樹脂製箱状のケーシング部と、少なくとも、前記ケーシング部の前記一面と対向する対向面を被覆する金属製カバー部とを備えると共に、前記金属製側板に取り付けられ、
前記ケーシング部の前記一面と前記金属製側板とは、対面近接又は対面接触する、
冷蔵庫。
【請求項２】
前記基板収容部は、前記金属製カバー部と前記機械室の前記金属製側板とを接続するアース用延出部を更に備える、
請求項１に記載の冷蔵庫。
【請求項３】
前記基板収容部は、前記基板収容部を前記金属製側板に取り付けるための取付部を更に備え、
前記取付部は、前記ケーシング部の前記一面と前記機械室の前記金属製側板との間に介在する、
請求項１又は２に記載の冷蔵庫。
【請求項４】
前記取付部は、金属製であり、
前記アース用延出部は、前記取付部を介して、前記機械室の前記金属製側板と接続する、
請求項３に記載の冷蔵庫。
【発明の詳細な説明】
【技術分野】
【０００１】
本発明は、冷蔵庫に関する。
【背景技術】
【０００２】
所定の電子部品を実装し、冷蔵庫の各種負荷（例えば、温度センサ、ＬＥＤ庫内灯、送風ファンモータ等）を制御する制御基板は、板金製のカバーを含むボックスに収容された状態で、例えば冷蔵庫の後部底方域内に設けられる空間等（この空間は、機械室と呼ばれる場合もある。）に配設される。そのような制御基板の組付構造を備えた冷蔵庫が、下記特許文献１に開示されている。
【先行技術文献】
【特許文献】
【０００３】
【特許文献１】特開２０１２−７８００８号公報
【発明の概要】
【発明が解決しようとする課題】
【０００４】
特許文献１に開示の技術は、鋼板製の外箱を含む冷蔵庫本体の外郭ケーシングの後部底方に所定の空間部を設け、その空間部の前方面に凹状の基板収納部が設けられ、基板収納部に絶縁性基板固定部材を介して制御基板を収納し、制御基板を含む基板収納部を板金製のカバーで被覆したことを特徴とする冷蔵庫である。
【０００５】
前記空間部には、制御基板の他に、冷媒圧縮コンプレッサや、このコンプレッサから伸びる冷媒通路用配管、それに加えて除霜水受け皿等の種々の装置や部品が配設される。しかしながら、特許文献１に開示の冷蔵庫において、制御基板の表面又は裏面が、前記空間の前方面と平行に設置されるため、基板収納部が前記空間の幅方向に広がった状態となる。また、制御基板及びこれを覆うカバーは、相応の厚みを有する。そのため、当該空間の中で、基板収納部、制御基板、カバーを含む制御基板配設スペースの占有率が高い状況が生じる。更に、制御基板を収納するための基板収納部を前記前方面に凹設するところ、そのような特殊な形状を空間前方面の所定箇所に別途形成する必要があるため、製品全体のコストアップに繋がり得る。
【０００６】
このような構造の冷蔵庫とは別に、板金製カバーで被覆された難燃性樹脂ケーシングを備えた制御基板収容ボックスを、同じく冷蔵庫の機械室に配設する構造の冷蔵庫が市販されている。この冷蔵庫において、冷蔵庫外郭の側面底方側が、機械室の側方境界を兼ねるよう配置される。制御基板収容ボックスは、その表面及び裏面が機械室の側方（冷蔵庫外郭の側面）と略平行となって立設され、前記側方内側に取り付けられる。
【０００７】
しかしながら、この制御基板収容ボックスは、制御基板に実装される電子部品等への電磁障害等を防ぐと共に、例えばボックス内で生じた燃焼が他に延焼することを可能な限り防ぐため、難燃性樹脂ケーシングを板金製カバーで包囲する構造を採用する。そのため、難燃性樹脂ケーシングを十分に覆うだけの板金製カバーが必要となり、製品コストが高まる要因となる。それに伴い、外観構造が複雑化すると共に、制御基板収容ボックスの機械室内での占有領域が増え、その近傍に配置される他の装置や部品と干渉する可能性が増える。
【０００８】
これらの課題に鑑み、本発明は、制御基板への電磁障害防止機能（電磁シールド機能）を担保し、他の装置・部品類等（以下、「装置・部品類」）への延焼防止等の安全性措置を適切に講じつつ、製品コストを低減可能とする基板収容構造を備えた冷蔵庫の提供を目的とする。
【課題を解決するための手段】
【０００９】
前述した課題を解決するため、本発明に係る冷蔵庫は、
内部に制御基板を収容する基板収容部と、
前記基板収容部を配設すると共に、冷蔵庫外郭の一部を成す金属製側板を含む隔壁により区画される機械室と、
を備え、
前記基板収容部は、樹脂製箱状のケーシング部と、少なくとも、前記ケーシング部の前記一面と対向する対向面を被覆する金属製カバー部とを備えると共に、前記金属製側板に取り付けられ、
前記ケーシング部の前記一面と前記金属製側板とは、対面近接又は対面接触することを特徴とする。
【００１０】
また、本発明は、前記基板収容部が、前記金属製カバー部と前記機械室の前記金属製側板とを接続するアース用延出部を更に備えることを特徴とする。
【００１１】
更に、本発明は、前記基板収容部が、前記基板収容部を前記金属製側板に取り付けるための取付部を更に備え、前記取付部は、前記ケーシング部の前記一面と前記機械室の前記金属製側板との間に介在することを特徴とする。
【００１２】
更に、本発明は、前記取付部が金属製であり、前記アース用延出部は、前記取付部を介して、前記機械室の前記金属製側板と接続することを特徴とする。
【発明の効果】
【００１３】
本発明に係る冷蔵庫によれば、制御基板への電磁障害防止機能を担保し、他の装置・部品類への延焼防止等の安全性措置を適切に講じつつ、製品コストを低減可能とする基板収容構造を備えた冷蔵庫を提供できる。
【００１４】
また、本発明によれば、基板収容部が、金属製カバー部と、機械室の側方部（冷蔵庫外郭の金属製側板）とを接続するアース用延出部を更に備えることから、簡易な構造でありながら適切に電磁障害防止機能を担保することができる。
【００１５】
更に、本発明によれば、基板収容部を前記金属製側板に取り付けるための取付部をケーシング部の一面と機械室の前記金属製側板との間に介在させる構造を備えるため、簡易な構造を保ちながら、基板収容部を適切に金属製側板に支持させることができる。
【００１６】
更に、本発明によれば、前記取付部が金属製であり、アース用延出部が、前記取付部を介して、機械室の前記金属製側板と接続することから、簡易な構造で金属製カバー部をアースすることができる。
【図面の簡単な説明】
【００１７】
【図１】本実施形態に係る冷蔵庫の全体構成を示す側面視垂直断面図。
【図２】本実施形態に係る冷蔵庫の後部側斜視図。
【図３】本実施形態に係る冷蔵庫の後部底方域の拡大図。
【図４】本実施形態に係る機械室Ｓの内部を上方から見た図。
【図５】本実施形態に係る基板収容部の斜視図。
【発明を実施するための形態】
【００１８】
以下、図面を参照して、本発明の一実施形態に係る冷蔵庫１を詳細に説明する。なお、本実施形態に係る冷蔵庫１を説明するにあたり、「上下」方向は、冷蔵庫１の高さ方向に対応し、「左右」方向は、冷蔵庫１の幅方向に対応し、「前後」方向は、冷蔵庫１の奥行き方向に対応する。
【００１９】
初めに、本実施形態に係る冷蔵庫１の全体構成に関して、図１を参照して説明する。ここで、図１は、冷蔵庫１の側面視垂直断面図である。図示されるように、本実施形態に係る冷蔵庫１は、冷蔵庫本体に相当する断熱箱体２を備える。断熱箱体２は、内部に食品等を貯蔵する複数の貯蔵室を備える。また、特に限定されないが、複数の貯蔵室の夫々は、上から順に冷蔵室３、冷凍室４、野菜室５に対応する。
【００２０】
断熱箱体２に設けられる各貯蔵室の前面は開口する。これら各開口を開閉可能に塞ぐよう、断熱扉Ｄ１，Ｄ２，Ｄ３が設けられる。ここで、断熱扉Ｄ１は、例えば冷蔵庫の正面視右端の上下端部が回動可能に断熱箱体２に支持されて、冷蔵室３の前面開口部を塞ぐ。また、断熱扉Ｄ２は、断熱箱体２に対して前後方向に引出可能に配設され、冷凍室４の前面開口部を塞ぐ。同様に、断熱扉Ｄ３は、断熱箱体２に対して前後方向に引出可能に配設され、野菜室５の前面開口部を塞ぐ。
【００２１】
更に、断熱箱体２は、鋼板製の外箱２ａと、合成樹脂製の内箱２ｂと、外箱と内箱との間に形成された間隙内に充填される発泡ポリウレタン製の断熱材２ｃを備える。断熱箱体２の内部には、複数の断熱仕切壁（例えば、図１の付号６ａ，６ｂで示される部材）が配設される。この断熱仕切壁６ａ，６ｂによって、冷蔵室３、冷凍室４、野菜室５が区画される。
【００２２】
次に図２から図４を参照して、冷蔵庫１の後部（背部）側の構成を説明する。まず図２を参照する。図２は、冷蔵庫１の後部側斜視図である。図示されるように、断熱箱体後部２ｒの底端域は、折曲基端部２ｒｋを境に折り曲げられて奥行き方向前方側（冷蔵庫内側）へ延出し、延出した部分の所定箇所で再度折り曲げられて更に底方側に延出する。
【００２３】
図２において、折曲部分の前方側延出部を符号２ｒｆ１で示し、底方側延出部を符号２ｒｆ２で示す。最終的に、その折曲部分２ｒｆ１，２ｒｆ２と、断熱箱体２の両側部２ｄにおける底部後端域２ｄｒ１，２ｄｒ２によって囲まれる空間Ｓが形成される。空間Ｓの後方側及び底方側は開口されている（以下、この空間Ｓを「機械室」と呼ぶ。）。なお、前記折曲部分２ｒｆ１，２ｒｆ２及び底部後端域２ｄｒ１，２ｄｒ２は、機械室Ｓを他の領域から隔てる壁材となるところ、以下これらを総称して「隔壁」と言う場合がある。
【００２４】
機械室Ｓ内に、後述する基板収容部１０、コンプレッサ２０、除霜水受け皿３０、放熱パイプ４０等が配設される。断熱箱体２における前述の底部後端域２ｄｒ１，２ｄｒ２は、鋼板製の外箱２ａの一部である（以下、断熱箱体２を「冷蔵庫外郭」と言う場合があり、また、前記した箱体２の底部後端域を「冷蔵庫外郭の（金属製）側板」又は「外郭側板」と言う場合がある。）。
【００２５】
本実施形態において、機械室Ｓ内の右（図２の左）から順番に、基板収容部１０、コンプレッサ２０、放熱パイプ４０が配置される。ここで、コンプレッサ２０は、機械室Ｓの底方開口を覆うように取り付けられる金属製（鋼板製）の受け台２１に載置される。また、コンプレッサ２０の略上方側に除霜水受け皿３０が配置される。ただし、これらの機械室Ｓ内での位置関係は、これに限られない。
【００２６】
また、機械室Ｓの位置も、前記した冷蔵庫１の後部底方域に限られず、他の位置であってもよい。例えば、機械室Ｓは、断熱箱体後部２ｒの上端域の所定位置に設けられてもよい。また、機械室Ｓに他の装置・部品類が配設されてもよい。
【００２７】
次に、図３及び図４を参照する。図３は、冷蔵庫１の後部底方域に係る拡大図であり、前記各装置・部品類が機械室Ｓ内に収まった状態を示す。また、図４は、機械室Ｓの内部を上方から見た図である。図３及び図４に示されるように、基板収容部１０は、機械室Ｓ内の右端（図３、図４の左端）に配置され、金属製の外郭側板２ｄｒの一方（本実施形態では、外郭側板２ｄｒ１）に隣設される。更に、基板収容部１０は、外郭側板２ｄｒ１の折曲後端縁２ｄｒ３に係止される。
【００２８】
基板収容部１０は、冷蔵庫１の各種動作を制御するための電子部品等を実装した制御基板を内部に収容する。制御基板から延びる配線（図示しない）は、基板収容部１０の例えば上面に設けられる配線挿通孔から外出し、冷蔵庫１内や機械室Ｓに位置する装置・部品類等に接続される。例えば、機械室Ｓの略中央に配置されるコンプレッサ２０は、前記配線を介して制御基板と接続される。
【００２９】
基板収容部１０は、箱状のケーシング部１１、金属製カバー部１２（板金製であることが好ましい。）を備える。更に、図４に示されるように、本実施形態に係る基板収容部１０は、基板収容部１０を折曲後端縁２ｄｒ３に取付固定するための金属製取付部１３等を備える。
【００３０】
制御基板がケーシング部１１内に収容された際、制御基板の表面（又は裏面）が、外郭側板２ｄｒ１に略平行な状態となる。そのため、図３及び図４に示されるように、基板収容部１０は、機械室Ｓ内で過度に広い領域を占めることなくコンパクトに収まる。その分、機械室Ｓに収められる他の装置・部品類の占有可能空間を増やすことができる。また、これにより、コンプレッサ２０や除霜水受け皿３０等、基板収容部１０に隣設される他の装置・部品類との接触を防ぐことができる。
【００３１】
特に限定されないが、ケーシング部１１は、難燃樹脂製であることが好ましい。ケーシング部１１が難燃性であることから、例えば、仮に内部の制御基板が燃焼した場合であっても、周囲への延焼を防止することができる。難燃性であれば、樹脂の種類は特に限定されない。
【００３２】
金属製カバー部１２は、ケーシング部１１の外表面を覆う。これにより、他の装置・部品類から制御基板側に放射される電磁波や、制御基板側から他の装置・部品類に放射される電磁波が遮蔽され、所望の電磁両立性（Electromagnetic Compatibility, 以下「EMC」）が確保される。また、金属製カバー部１２は、難燃性のケーシング部１１と相まって、例えば制御基板で生じた燃焼が延焼することを防止する。なお、金属製カバー部１２は、任意の手段によってアースされる。それらの詳細に関しては、後述する。
【００３３】
本実施形態における取付部１３は、金属製の屈曲プレートであり、図４に示されるように、折曲後端縁２ｄｒ３に重畳するよう配置される。取付部１３及び折曲後端縁２ｄｒ３には、それぞれ螺子挿通孔が設けられている。図３に示されるように、取付部１３と折曲後端縁２ｄｒ３は、螺子１３１により共締めされる。これにより、取付部１３が折曲後端縁２ｄｒ３に取付固定される。
【００３４】
次に、図５を参照して、本実施形態に係る基板収容部１０の詳細を説明する。図５は、ケーシング部１１から、金属製カバー部１２や取付部１３等が分離した状態の概略斜視図である。ここで、ケーシング部１１の一の側面１１ｓ１は、外郭側板２ｄｒと対向し、外郭側板２ｄｒと対面接触（又は対面近接）する。また、ケーシング部１１の他の側面１１ｓ２（前記一の側面１１ｓ１と対向する対向面）は、コンプレッサ２０等の近傍に配置される。
【００３５】
図５に示されるように、本実施形態に係る金属製カバー部１２は、上方カバー部１２ｕ、側方カバー部１２ｓ、後方カバー部１２ｒを備える。ケーシング部上面１１ｕは、上方カバー部１２ｕに覆われる。また、ケーシング部側面１１ｓ２は、側方カバー部１２ｓに覆われる。更に、ケーシング部後面（背面）１１ｒは、後方カバー部１２ｒに覆われる。
【００３６】
また、前述のように、ケーシング部側面１１ｓ１は、金属製の外郭側板２ｄｒ１に覆われると共に、図３に示されるように、ケーシング部上面１１ｕは、断熱箱体後部の折曲基端部２ｒｋから折り曲げられた折曲部分２ｒｆ１と対面する。更に、ケーシング部底面１１ｂは、金属製のコンプレッサ受け台２１と対面する。これにより、ケーシング部１１の大部分は、金属製の部材に覆われる。
【００３７】
従来、ケーシング部１１の側面１１ｓ２に加えて側面１１ｓ１側にも、図示される金属製カバー部１２に類似する形状の板金カバーが配置されていたが、本実施形態は、従来配置されていた板金カバーを取り除いても、EMCが適切に確保される構造を備える。このように、本実施形態によれば、部品点数を減らすことが可能であり、その分のコストダウンを図ることができる。更に、比較的に高価な金属製の部品（前記板金カバー）を除くことができるため、より効果的に製品のコストダウンを図ることができる。
【００３８】
図５に示されるように、基板収容部１０は、アース用延出部１４を更に備えることが好ましい。本実施形態において、金属製カバー部１２と金属製の取付部１３とは、アース用延出部１４を介して接続される。取付部１３は、前述のように冷蔵庫外郭側板の折曲後端縁２ｄｒ３に重畳接触している。従って、金属製カバー部１２は、冷蔵庫外郭とも電気的に接続され、アースされる。これにより、金属製カバー部１２の電磁シールド機能が発揮可能となる。
【００３９】
従来、金属製カバー部１２は、ケーシング部１１の側面１１ｓ１を被覆した前記の板金カバーと接続し、更に板金カバーが、冷蔵庫１の外郭側板２ｄｒ１と電気的に接続していた。それにより、金属製カバー部１２がアースされていたが、本実施形態によれば、そのような広面積を有する板金カバーによらずとも、金属製カバー部１２をアースすることができる。その結果、製品のコストダウンを図ることができる。
【００４０】
アース用延出部１４の形態は、金属製カバー部１２をアース可能であれば特に限定されないが、例えば図５に示されるような形態が考えられる。より詳しくは、アース用延出部１４として、ケーシング部上面１１ｕ側に配置される上部片１４ｕと、ケーシング部側面１１ｓ１側に配置される側部片１４ｓと、ケーシング部後面１１ｒ側に配置される後部片１４ｒとを備える形態が例示される。
【００４１】
上部片１４ｕは、ケーシング部上面１１ｕと対面接触するよう設けられ、その一端側は、金属製カバー部１２と接続する。また、上部片１４ｕの他端側は、側部片１４ｓの一端側と接続する。側部片１４ｓは、上部片１４ｕの他端側から下方側に垂下するよう設けられ、ケーシング部側面１１ｓ１と対面接触する。また、側部片１４ｓは、Ｌ字形状を呈するよう冷蔵庫後方に向けて略直角に折れ曲がる。Ｌ字の先端に対応する側部片１４ｓの他端側は、後部片１４ｒと接続する。後部片１４ｒは、取付部１３に対面接触するよう設けられる。これにより、金属製カバー部１２と取付部１３（及び取付部１３と接続する冷蔵庫１の外郭側板２ｄｒ１）とが、電気的に接続される。
【００４２】
以上、本発明の実施形態を詳細に説明した。ただし、前述の説明は本発明の理解を容易にするためのものであり、本発明を限定する趣旨で記載されたものではない。本発明には、その趣旨を逸脱することなく、変更、改良され得るものを含み得る。また、本発明にはその等価物が含まれる。
【符号の説明】
【００４３】
１…冷蔵庫
２…断熱箱体
３…冷蔵室
４…冷凍室
５…野菜室
１０…基板収容部
１１…ケーシング部
１２…金属製カバー部
１３…取付部
１４…アース用延出部
２０…コンプレッサ
２１…コンプレッサ受け台
３０…除霜水受け皿
４０…放熱パイプ
Ｓ…機械室
【図１】
2020101341.tif 000003
【図２】
2020101341.tif 000004
【図３】
2020101341.tif 000005
【図４】
2020101341.tif 000006
【図５】
2020101341.tif 000007